(57)【特許請求の範囲】
【請求項１】
送風手段の働きにより、空調対象空間内の気体を処理空間に吸引して前記空調対象空間に戻す送風路であるダクトを備え、前記ダクトが建造物の居住スペース外に配置された空調装置であって、
前記処理空間に配設されるマイクロプラズマ発生手段と、
前記マイクロプラズマ発生手段に送られる気体を加湿する加湿手段とを備え、
前記マイクロプラズマ発生手段が、前記気体の流れ方向を横断して互いに略平行に配置される一対の電極板と、前記電極板にプラズマ発生用の電圧を印加する電圧印加装置とを備えて構成されるとともに、前記一対の電極板の夫々に、前記気体が通過可能な貫通孔を前記電極板の厚み方向に形成して構成され、前記一対の電極板の対向する表面の少なくとも一方に誘電体層が形成され、
前記マイクロプラズマ発生手段に到達する前記気体を、前記加湿手段により加湿して、前記マイクロプラズマ発生手段で発生するマイクロプラズマの除菌能を維持できる好適湿度範囲に維持する湿度調整手段と、
前記気体の流れ方向で前記マイクロプラズマ発生手段より下流側に位置する前記ダクトの吐出口近傍において、前記気体の流れ方向を横断する形態で設けられたオゾン分解除去手段と、
前記気体が前記貫通孔を通過後、所定時間の間、前記処理空間内に滞留する滞留空間を、前記マイクロプラズマ発生手段と前記オゾン分解除去手段との間に備え、
前記ダクト内に、前記加湿手段、前記マイクロプラズマ発生手段、前記滞留空間、前記オゾン分解除去手段の順に設けられる空調装置。
【請求項２】
前記マイクロプラズマ発生手段に送られる気体の温度を調整する温度調整手段を備え、
前記湿度調整手段は、
前記加湿手段及び前記温度調整手段を働かせて、
前記加湿手段により加湿された前記気体が前記マイクロプラズマ発生手段で結露を発生しない温湿度に、前記気体を調整する請求項１に記載の空調装置。
【請求項３】
前記加湿手段が、前記送風路にミストを噴霧して前記気体を加湿する、又は前記空調対象空間内にミストを噴霧して前記気体を加湿する請求項１又は２に記載の空調装置。
【請求項４】
前記湿度調整手段は、前記気体の湿度を５０％ＲＨ以上９０％ＲＨ以下の前記好適湿度範囲に維持する請求項１〜３の何れか一項に記載の空調装置。
【発明の詳細な説明】
【技術分野】
【０００１】
本発明は、送風手段の働きにより、空調対象空間内の気体を処理空間に吸引して前記空調対象空間に戻す送風路を備えた空調装置に関する。
【背景技術】
【０００２】
空調装置の役割として、人の生活環境の質を向上させることがその１つに挙げられる。この目的のためには、温度や湿度の制御による快適性の向上だけでなく、人体に害を及ぼす空気中の菌あるいはウイルスを減少させることが望ましい。また、ホルムアルデヒドに代表される揮発性有機化合物（Ｖｏｌａｔｉｌｅ  Ｏｒｇａｎｉｃ  Ｃｏｍｐｏｕｎｄｓ；ＶＯＣ）や空気中の臭い成分は人に健康被害を及ぼしたり、不快感を与えたりするために問題となっており、空気中のこれら成分の低減も強く要望されている。
【０００３】
従来、こうした目的のために、除加湿による菌・ウイルスの繁殖抑制や、フィルタを搭載した空気清浄機による除去が行われてきた。ＶＯＣや臭い成分については、薬剤散布によるマスキングや、活性炭などによる臭い吸着が用いられている。
【０００４】
これら従来技術に対し、近年、菌やウイルス、ＶＯＣや臭い成分などあらゆる汚染物質に対して効果を持つとして注目されている方法に、プラズマによる空気清浄技術がある。これは大きく分けて２タイプあり、一つはプラズマにより発生する活性種を空気中に放散するタイプ（以下、活性種放散タイプと呼ぶ。）、もう一つは浄化対象の空気が直接放電空間を通過するように構成するタイプ（以下、放電空間通過処理タイプと呼ぶ。）である。
【０００５】
活性種放散タイプによる殺菌は、装置内で発生したオゾン、イオン等の比較的長寿命の活性種が空気中に放散され、汚染物質に衝突したときに分子構造を変化させ、失活あるいは脱臭に導くというメカニズムである。これら活性種は、大気中でプラズマ放電を起こすことによって発生させることが可能であり、この原理に基づく装置が、特許文献１に提案されている。また放電空間通過処理タイプによる殺菌は、プラズマ放電空間に直接汚染空気を導入し、特に短寿命で強力な活性種による殺菌および電撃殺菌を行うというメカニズムである。この原理に基づく装置が、特許文献２に開示されている。これらの技術は電気と空気中の水分子などを原料とし、薬剤を別途準備する手間を必要とせず、またフィルタも必要としないためにメンテナンス性がよいという利点があり、様々な空調機器に搭載されている。
【０００６】
プラズマを形成させるデバイスは、特許文献１及び２に示されるように、誘電体で導電性電極表面の一部を保護してつくられる沿面放電型のデバイスや、対向電極の片側を針状にしてコロナ放電を誘発するデバイスが存在する。
【０００７】
その他に、特許文献３に示すように、１０〜１００μｍオーダーのギャップをとった対向平板電極間に電界を印加することでプラズマを発生させるマイクロプラズマ装置がある。このデバイスでは、対向する両平板電極の面積分の大きさだけ放電空間が広がっており、ランダムに生成されるストリーマ放電によって効率よく大気分子が電離や電子移動反応を起こし、オゾン、イオン、ラジカルなどの活性種を大量に発生させる。同時に、放電空間通過処理タイプとして利用する場合には、被処理空気の流量を多くとれる利点がある。またこのデバイスの長所は、平板電極を用いることで電極の局所的な材料劣化が防止されることがある。
【先行技術文献】
【特許文献】
【０００８】
【特許文献１】特開２００２−０９５７３１号公報
【特許文献２】特開２００２−３３６６８９号公報
【特許文献３】特開２００９−７８２６６号公報
【発明の概要】
【発明が解決しようとする課題】
【０００９】
特許文献１に示す活性種放散タイプの技術は、プラズマにより発生させた活性種を菌・ウイルス・臭い成分と反応させるとしているが、居住空間で運転する場合、人体に害のない範囲で活性種を放散させなければならないという制約があるため、強力な効果は見込めない。また、特許文献２に示す放電空間通過処理タイプは放電空間に汚染空気を通すことで電撃やラジカルなどの強力な浄化因子に触れさせることを狙っているため、殺菌性は高いと考えられるが、処理空気量が放電範囲に限定されるという問題がある。
【００１０】
一方、従来のフィルタや吸着材による汚染物質除去は、フィルタや吸着材は時間が経つと飽和へと向かうため、定期的な交換が必要である。また、薬剤散布は薬剤の補填が不可欠であるという点で手間を要する。そのため、メンテナンス性の高い除菌技術が要望されている。
【００１１】
本発明は上記状況に鑑みてなされたものであり、その目的は、マイクロプラズマを用いた除菌において、より高い効果を発揮でき、メンテナンス性にも優れた空調装置を提供することにある。
【課題を解決するための手段】
【００１２】
本発明に係る送風手段の働きにより、空調対象空間内の気体を処理空間に吸引して前記空調対象空間に戻す送風路であるダクトを備え、前記ダクトが建造物の居住スペース外に配置された空調装置の特徴構成は、前記処理空間に配設されるマイクロプラズマ発生手段と、前記マイクロプラズマ発生手段に送られる気体を加湿する加湿手段とを備え、前記マイクロプラズマ発生手段が、前記気体の流れ方向を横断して互いに略平行に配置される一対の電極板と、前記電極板にプラズマ発生用の電圧を印加する電圧印加装置とを備えて構成されるとともに、前記一対の電極板の夫々に、前記気体が通過可能な貫通孔を前記電極板の厚み方向に形成して構成され、前記一対の電極板の対向する表面の少なくとも一方に誘電体層が形成され、
前記マイクロプラズマ発生手段に到達する前記気体を、前記加湿手段により加湿して、前記マイクロプラズマ発生手段で発生するマイクロプラズマの除菌能を維持できる好適湿度範囲に維持する湿度調整手段と、
前記気体の流れ方向で前記マイクロプラズマ発生手段より下流側に位置する前記ダクトの吐出口近傍において、前記気体の流れ方向を横断する形態で設けられたオゾン分解除去手段と、
前記気体が前記貫通孔を通過後、所定時間の間、前記処理空間内に滞留する滞留空間として、前記マイクロプラズマ発生手段と前記オゾン分解除去手段の間に備え、
前記ダクト内に、前記加湿手段、前記マイクロプラズマ発生手段、前記滞留空間、前記オゾン分解除去手段の順に設けられる点にある。
【００１３】
この特徴構成によれば、加湿手段によって、マイクロプラズマ発生手段に送られる気体は、適切に加湿される。このとき湿度調整手段によって、加湿手段はマイクロプラズマの除菌能を維持できる好適な湿度範囲となるように気体を加湿する。よって、マイクロプラズマ発生手段の除菌効率を高めることが出来る。また、マイクロプラズマに送られる気体は複数の貫通孔を通過することで処理されるため、被処理気体の流量を多くとれるとともに、平板に配置される電極を用いるため、電極の局所的な材料劣化が防止される。よって、この特徴構成によれば、マイクロプラズマを用いた除菌において、より高い効果を発揮でき、メンテナンス性にも優れた空調装置を提供することができる。
ここで、発明者らは、鋭意研究の結果、マイクロプラズマ発生手段により生成した活性種と浮遊菌との混合気体において、浮遊菌の死滅率は、混合直後よりも混合後所定時間経過させた場合の方が高くなることを見出した。すなわち、発明者らは、マイクロプラズマ発生手段により生成した活性種による除菌効果を高める為には、除菌対象の気体と活性種とが混合された後、活性種の除菌効果が高まる程度の時間、滞留させる必要があるとの結論に到った。この結論は発明者らが初めて見出した新知見である。この点、この構成によれば、マイクロプラズマ発生手段に送られた気体が、貫通孔の通過後、マイクロプラズマ発生手段により生成した活性種と所定時間混在する状態を実現する。よって、マイクロプラズマを用いた除菌において、より高い効果を発揮できる空調装置を提供することができる。
加えて、この構成によれば、マイクロプラズマ発生手段により生成されたオゾンは、除菌された気体とともにオゾン分解除去手段に導かれ、オゾン分解除去手段により無害な酸素分子に変化する。よって、オゾンが空調装置の外部に流出することを抑制することができる。しかも、オゾンは酸素分子に変化する過程で酸素原子として存在するため、オゾン分解除去手段に導かれた気体は、当該酸素原子によってもさらに除菌される。すなわち、オゾン分解除去手段を設けることで、マイクロプラズマ発生手段を用いて気体の除菌を行う際にオゾンが生成されるという課題を解決できるとともに、気体の除菌効果を高めることが可能となる。よって、マイクロプラズマを用いた除菌において、より一層高い効果を発揮できる空調装置を提供することができる。
【００１４】
ここで、前記マイクロプラズマ発生手段に送られる気体の温度を調整する温度調整手段を備え、前記湿度調整手段は、前記加湿手段及び前記温度調整手段を働かせて、前記加湿手段により加湿された前記気体が前記マイクロプラズマ発生手段で結露を発生しない温湿度に、前記気体を調整すると好適である。
【００１５】
この構成によれば、マイクロプラズマ発生手段に送られる気体の温度と湿度の両方を調整することができるので、結露の発生を抑制してマイクロプラズマを良好に発生しながら、マイクロプラズマを用いた除菌において、より高い効果を発揮できる空調装置を提供することができる。
【００２０】
また、前記加湿手段が、前記送風路にミストを噴霧して前記気体を加湿する、又は前記空調対象空間内にミストを噴霧して前記気体を加湿すると好適である。
【００２１】
この構成によれば、マイクロプラズマ発生手段に送られる気体を加湿するために必要な機構としては、ミストを噴霧するだけで良いので、空調装置の製造コストを抑えることが出来る。また、ミストの噴霧場所は送風路又は空調対象空間内のいずれでも構わないので、空調装置の設計の自由度を高めることが出来、メンテナンス性にも優れた空調装置を提供することができる。
【００２４】
また、前記湿度調整手段は、前記気体の湿度を５０％ＲＨ以上９０％ＲＨ以下の前記好適湿度範囲に維持すると好適である。
【００２５】
ここで、好適湿度範囲としては、より好ましくは、７０％ＲＨ以上８５％以下の範囲とすると良い。この構成によれば、最も効果的にマイクロプラズマ発生手段により活性種を発生させることが出来る。
【図面の簡単な説明】
【００２６】
【図１】本発明の第一実施形態に係る空調装置の模式図である。
【図２】本発明の実施形態に係るマイクロプラズマ発生手段の概略図である。
【図３】本発明の参考形態に係る空調装置の模式図である。
【図４】マイクロプラズマを用いた実験の装置構成を示す図である。
【図５】マイクロプラズマによる浮遊菌の除菌効果を示す図である。
【発明を実施するための形態】
【００２７】
人が生活する建造物の空調システムは、大きく分類して個別空調システムと全館空調システムとがある。個別空調システムは、一室ごとに空調機器を設置し空調するものであり、全館空調システムは、複数の部屋を一つの空調機器で一斉に空調するものである。全館空調システムの最も一般的な手法としては、建造物内の各部屋に繋がるダクトを設け、そのダクトで連結された部屋を大型空調機で一斉に空調するものがある。このような手法は、集合住宅やビルなどの部屋数の多い建造物でよく導入されている。全館空調システムで用いられるダクトは天井、壁の内側、床下などの居住スペース外に配置されるという特徴がある。
【００２８】
以下では、まず、第一実施形態として、全館空調システムに用いられるダクト内にマイクロプラズマ発生装置を始めとする各種装置を取り付け、本発明に係る空調装置として構成した実施形態を説明する。
【００２９】
次に、第二実施形態として、個別空調システムの一例である浴室暖房乾燥機にマイクロプラズマ発生装置を始めとする各種装置を取り付け、本発明に係る空調装置として構成した実施形態を説明する。
【００３０】
〔第一実施形態〕
１.空調装置の概略構成
本実施形態における空調装置１０２は、図１に示すように、例えばビルなどの建造物内において、室内１０１の換気を行うために天井に設けられたダクト１３０を装置の筐体として備えるとともに、ダクト１３０内部に設置されたマイクロプラズマ発生装置６、換気ファン１０３、及び後述する各種機器で構成されている。ダクト１３０は、換気ファン１０３の働きにより室内１０１の空気を吸引するための吸引口１２１と、吸引された空気を室内１０１に戻すための吐出口１２２とにより、室内１０１と連通している。よって、ダクト１３０は、本発明における『送風路』としての役割をも果たす。
【００３１】
本実施形態では、室内１０１が本発明における『空調対象空間』に相当し、マイクロプラズマ発生装置６が本発明における『マイクロプラズマ発生手段』に相当し、換気ファン１０３が本発明における『送風手段』に相当し、室内１０１の空気が本発明における『気体』に相当する。また、ダクト１３０内部の吸引口１２１から吐出口１２２へと流れる空気の流通方向に基づき、以下では、吸引口１２１側を「上流側」、吐出口１２２側を「下流側」と呼ぶ。
【００３２】
換気ファン１０３は、マイクロプラズマ発生装置６より上流側に設けられている。換気ファン１０３は、マイクロプラズマ発生装置６に室内１０１の空気を送るとともに、マイクロプラズマ発生装置６で発生するイオンやラジカルなどの活性種をダクト１３０内部の一定範囲（マイクロプラズマ発生装置６の下流側）に拡散させる。このようなにして、マイクロプラズマ発生装置６で発生する活性種を空気と混合、反応させることで、空調装置１０２はダクト１３０内部を流れる空気の浄化を行う。ここで、マイクロプラズマ発生装置６で発生する活性種と空気とが相互作用し、空気の浄化処理が行われる空間を処理空間１０４と呼ぶ。具体的には、処理空間１０４は、ダクト１３０内部において、マイクロプラズマ発生装置６の近傍、及びマイクロプラズマ発生装置６から吐出口１２２に至るまでの空間である。すなわち、マイクロプラズマ発生装置６は処理空間１０４内に配設されている。
【００３３】
ここで、後述する実験結果に示すように、マイクロプラズマ発生装置６において効率的に活性種を発生させるためには、マイクロプラズマ発生装置６に送られる空気は適度に加湿されていることが望ましいことが分かっている。また、活性種によって、より高い除菌効果を得るためには、活性種と空気とが長時間混在された状態にあることが望ましい。加えて、マイクロプラズマ発生装置６は放電電圧を上昇させることにより、放電空間での電離が促進され、活性種が大量に発生することが知られている。
【００３４】
そこで、本実施形態における空調装置１０２は、マイクロプラズマ発生装置６に送られる空気の湿度を調整するため、当該空気を加湿するためのミストノズル１１５と、当該空気の温度を調整するための熱交換器１０７とを備える。さらに、ミストノズル１１５及び熱交換器１０７を制御するための制御手段１１６を備えている。また、マイクロプラズマ発生装置６で発生した活性種と空気とが長時間混在する状態におかれるように、マイクロプラズマ発生装置６はダクト１３０内において上流側寄りに配置されており、マイクロプラズマ発生装置６の下流側には、空気と活性種とが混在する状態で所定時間の間、処理空間１０４内に滞留するように滞留空間１１７が形成されている。また、マイクロプラズマ発生装置６の放電電圧を上昇させた場合、オゾンの発生量も増加するため、マイクロプラズマ発生装置６の下流側には、オゾン分解除去触媒フィルタ１３が設けられている。以下では、これら装置類の構成について上流側から順に説明する。
【００３５】
なお、本実施形態では、ミストノズル１１５が本発明における『加湿手段』に相当し、熱交換器１０７が本発明における『温度調整手段』に相当し、制御手段１１６が本発明における『湿度調整手段』に相当し、オゾン分解除去触媒フィルタ１３が本発明における『オゾン分解除去手段』に相当する。
【００３６】
２．各機器類の構成
２−１．ミストノズル
空調装置１０２には、ダクト１３０内を流れる空気を加湿するために、ダクト１３０内にミストを散布するミストノズル１１５が設けられている。ミストノズル１１５は、図示しない熱源機と接続されており、当該熱源機から供給される温水又は水をミスト状にしてダクト１３０内に散布するように構成されている。ミストノズル１１５は、ダクト１３０内において最上流側に設けられている。具体的には、マイクロプラズマ発生装置６及び換気ファン１０３よりも上流側に設けられている。
【００３７】
上記熱源機は、室外に設置され、空調装置１０２に対して温水を循環供給するように構成されている。また、詳述しないが、温水を循環供給する機能に加え、ミストノズル１１５及び室内１０１の一般給湯栓などに対する給湯機能も有している。
【００３８】
また、ミストノズル１１５の近接位置には湿度センサ１２４（湿度取得手段）が備えられており、ミストノズル１１５により加湿される空気の湿度を検出可能に構成されている。本実施形態では、湿度センサ１２４は、ミストノズル１１５の上流側近傍で、ミストノズル１１５によって散布されるミストがかからない位置に設けられている。ミストノズル１１５と湿度センサ１２４とは、後述するように、制御手段１１６によってダクト１３０内に吸引された空気を適切に加湿するように制御される。
【００３９】
２−２．熱交換器
マイクロプラズマ発生装置６に、湿度の高い空気を送る場合、当該空気により電極板８表面で結露が起きると、結露水により一対の電極板８間が導通し、マイクロプラズマを発生できなくなる怖れがある。そのため、空調装置１０２は、マイクロプラズマ発生装置６へと供給される空気がマイクロプラズマ発生装置６において結露を起こさない程度の温湿度となるように、ミストノズル１１５に加え、空気を加熱するための熱交換器１０７を備えている。熱交換器１０７は、ダクト１３０において、空気の流れ方向に対して、マイクロプラズマ発生装置６の上流側に位置するように設けられている。すなわち、換気ファン１０３の働きにより、ダクト１３０内に吸引された空気が、熱交換器１０７を通過した後に、マイクロプラズマ発生装置６内の処理空間４を通過するように構成されている。熱交換器７は、熱源機から供給される温水と、ダクト１３０内に吸引された空気と、を熱交換するように構成されている。
【００４０】
また、熱交換器１０７の近接位置には温度センサ１２７（温度取得手段）が備えられており、熱交換器１０７により加熱される空気の温度を検出可能に構成されている。本実施形態では、温度センサ１２７は熱交換器１０７の上流側で、換気ファン１０３よりも下流側の位置に設けられている。熱交換器１０７と温度センサ１２７とは、後述するように、制御手段１１６によってダクト１３０内に吸引された空気を適切に加熱するように制御される。
【００４１】
２−３．制御手段
空調装置１０２は、マイクロプラズマ発生装置６に送られる空気を、ミストノズル１１５により加湿するとともに、熱交換器１０７で加熱することで、マイクロプラズマ発生装置６で発生するマイクロプラズマの除菌能を好適に維持できる好適湿度範囲に維持するための制御手段１１６を備えている。制御手段１１６は、湿度センサ１２４、ミストノズル１１５、換気ファン１０３、熱交換器１０７、及び温度センサ１２７と電気的に接続されている。本実施形態においては、制御手段１１６が本発明における『湿度調整手段』に相当する。
【００４２】
制御手段１１６は、換気ファン１０３が動作している場合に、湿度センサ１２４及び温度センサ１２７の出力情報に基づいて、ミストノズル１１５及び熱交換器１０７を働かせ、ミストノズル１１５で加湿された空気が、マイクロプラズマ発生装置６において結露を発生させないように空気の温湿度を調整する。湿度の調整にあたっては、ダクト１３０に吸引された空気が乾燥状態にあり、マイクロプラズマ発生装置６において結露する心配がない場合には、熱交換器１０７を働かせないなど、ミストノズル１１５と熱交換器１０７とは適宜制御すると良い。マイクロプラズマ発生装置６に送る空気の湿度は、５０％ＲＨ以上９０％ＲＨ以下の範囲、より好ましくは７０％ＲＨ以上８５％ＲＨ以下であると良い。この範囲（好適湿度範囲）に維持すると、マイクロプラズマ発生装置６において最も活性種を大量に発生させることが出来、好適である。
【００４３】
２−４．マイクロプラズマ発生手段
マイクロプラズマ発生装置６は、図２に示すように、一対の電極板８及び高周波電源９により構成されている。マイクロプラズマ発生装置６を構成する一対の電極板８は、ハウジング６０、６１により固定支持されている。具体的には、ハウジング６０、６１は、一対の電極板８を挟持した状態で、ボルト６２及びナット６３より成る締結機構により互いに締結固定されている。除菌対象の流体である空気は、ハウジング６０、６１の内部に形成された空間を、図２に破線矢印で示す方向に流れる。
【００４４】
ここで、マイクロプラズマ発生装置６は、図１に示すように、ダクト１３０内における空気の流通方向と、マイクロプラズマ発生装置６内部を流れる空気の流通方向が一致するようにダクト１３０内に固定されている。また、本実施形態においては、ダクト１３０内を流れる空気が全量、マイクロプラズマ発生装置６内に導かれるように、ハウジング６０、６１の外周面とダクト１３０の内周面とが一致するように構成されている。マイクロプラズマ発生装置６は、ダクト１３０内において熱交換器１０７と吐出口１２２との間に設けられている。
【００４５】
ところで、マイクロプラズマ発生装置６が設けられるダクト１３０内部は、基本的に人が侵入することはないため、マイクロプラズマ発生装置６により高濃度かつ強力な活性種を発生させることができる。すなわち、本実施形態においては、電極板８に印加する電圧を高くして、電極板８間の間に形成される空間である放電空間での電離を促し、マイクロプラズマによる活性種を大量に発生させて構わない。
【００４６】
マイクロプラズマ発生装置６は、図２に示すように、ダクト１３０内における空気の流通方向を横断して互いに略平行に配置される一対の電極板８と、電極板８にプラズマ発生用の電圧を印加する高周波電源９とを備えて構成されるとともに、一対の電極板８の夫々に、除菌対象の流体である空気が通過可能な貫通孔１０を電極板８の厚み方向に形成して構成されている。本実施形態では、高周波電源９が本発明における『電圧印加装置』に相当する。また、詳細は後述するが、一対の電極板８の対向する表面には誘電体膜（図示せず）が形成されている。高周波電源９と一対の電極板８のそれぞれとは電気配線により電気的に接続されている。そして、一対の電極板８間に高周波電源９から交流電圧を印加することで、一対の電極板８間にストリーマ形式の誘電体バリア放電を生起させ、マイクロプラズマを生成することができる。このマイクロプラズマにより生成された活性種（ＯＨラジカルやＯ原子と考えられる）が、一対の電極板８に形成された貫通孔１０を通過する空気の流れにより、ダクト１３０内を所定時間滞留するように滞留空間１１７に散布される。
【００４７】
電極板８は、大気圧中でマイクロプラズマを発生させるための電極として用いるため、高温での耐酸化性を有する各種のステンレス鋼で形成されたものを用いるのが好ましい。このようなステンレス鋼としては、例えば、マルテンサイト系ステンレス鋼（martensitic stainless steels）、フェライト系ステンレス鋼（ferritic stainless steels）、オーステナイト系ステンレス鋼（austenitic stainless steels）、オーステナイト・フェライト系ステンレス鋼（austenitic-ferritic stainless steels）、析出硬化系ステンレス鋼（precipitation hardening stainless steels）等がある。なお、ステンレス鋼以外の金属を用いて電極板８を形成しても良い。ここで、電極板８の板厚（図２における空気の流通方向の厚み）は、１ｍｍ以上とするのが好ましい。
【００４８】
電極板８には空気が通過可能な貫通孔１０が厚み方向に複数形成されている。本実施形態では、貫通孔１０は、断面形状が円形であり、平面視で六方格子（三角格子、６０度千鳥）状に配置されている。複数の貫通孔１０は同一の孔径φを有しており、貫通孔１０間に位置する電極板部分に関し、隣接して配置される貫通孔１０間の最小離間長さｓは、貫通孔１０によらず一定の値となっている。電極板８に形成される貫通孔１０の孔径φは、１．５ｍｍ以上３ｍｍ以下とするのが好ましい。従って、この構造のマイクロプラズマ発生装置６は流路抵抗が低い。
【００４９】
本実施形態に係るマイクロプラズマ発生装置６は、一対の電極板８間に誘電体バリア放電を生起させマイクロプラズマを発生させる。そのため、一対の電極板８の互いに対向する面のうち少なくとも一方の面には誘電体膜（図示せず）を形成することになる。そこで、電極板８に隣接して配設される貫通孔１０間に位置する電極板部分に関し、隣接して配設される貫通孔１０間の最小離間長さｓは、少なくとも１ｍｍとするのが好ましい。
【００５０】
先にも述べたように、電極板８の表面には誘電体膜が形成されている。本実施形態では、上記のように、一対の電極板８間に誘電体バリア放電を生起させるため、一対の電極板８の互いに対向する面のうち少なくとも一方の面或いは双方の面には誘電体膜を形成することとなる。また、これらの面に加え、貫通孔１０の内周面にも誘電体膜を形成する構成としてもよい。このように誘電体膜を形成することで、一対の電極板８間に安定してマイクロプラズマを発生させることができる。誘電体膜の膜厚は、例えば、５０μｍ以上５００μｍ以下とすることが好ましい。また、誘電体膜は、例えば、ＳｉＯ2、Ａｌ2Ｏ3、ＭｇＯ、ＺｒＯ2、Ｙ2Ｏ3、ＰｂＺｒＯ3−ＰｂＴｉＯ3、ＢａＴｉＯ3、ＴｉＯ2、ＺｎＯ等や、これらの複合酸化物により構成することができる。
【００５１】
本実施形態では、一対の電極板８は、電極板８の周縁部に沿う形状の円環状のスペーサ（図示せず）を間に挟持した状態で互いに固定されている。このスペーサは一様の厚みを有しており、一対の電極板８は互いに略平行になるように配置される。よって、一対の電極板８間に形成される空隙の板面に直交する方向の長さｄは、このスペーサの厚みにより厳密に定められる。一対の電極板８をこのように配設することで、一対の電極板８間に形成される空隙を板面に沿う方向において略均一にすることができ、誘電体バリア放電を均一に安定して発生させることが可能となっている。スペーサの厚みは、例えば、５〜５００μｍ以下の値から選択することができる。この時、上記の長さｄも少なくとも５００μｍ以下となり、一対の電極板８間に印加する交流電圧の波高値を１０００Ｖ程度と比較的低い値としても、マイクロプラズマを発生させることができる。この場合、一対の電極板間に波高値が１０００Ｖ以上の交流電圧が印加される構成とすると好適である。このようなスペーサは、例えば、ポリエチレン樹脂、テフロン（登録商標）樹脂等の合成樹脂やセラミックス等の絶縁材料により形成することができる。
【００５２】
なお、一対の電極板８の互いに対向する面の双方に誘電体膜が形成され、当該誘電体膜が電極板８の板面に直交する方向（厚み方向）に凹凸（例えば、５μｍ以上５０μｍ以下の高低差を有する凹凸）を有する場合には、上記のスペーサを介さずに一対の電極板８を積層するように互いに固定する構成としても好適である。この場合、上記の凹凸により形成される間隙において誘電体バリア放電が生じるため、一対の電極板８間にマイクロプラズマを発生させることができる。
【００５３】
なお、本実施形態では、一対の電極板８は同じ構成のものであり、一対の電極板８は、板面に直交する方向からみて、双方の電極板８に形成された貫通孔１０同士が全体として互いに重なり合うように円周方向に位置決めされ、互いに固定されている。そのため、図２に示すように、除菌対象の空気は貫通孔１０の間を通過することができ、除菌対象の空気の流れを大きく阻害することなく一対の電極板８を厚さ方向に近接して配置することができる。その結果、マイクロプラズマを発生させるために一対の電極板８間に印加することが必要となる電圧の大きさを低く抑えることができ、少ない消費電力で効率的にマイクロプラズマ発生装置６にマイクロプラズマを発生させることが可能な構成となっている。
【００５４】
２−５．滞留空間
空調装置１０２は、マイクロプラズマ発生装置６をダクト１３０において上流側寄りに配置している。すなわち、マイクロプラズマ発生装置６はダクト１３０内において吐出口１２２より吸引口１２１に近い位置に設けられている。より具体的には、ダクト１３０に吸引された空気がマイクロプラズマ発生装置６の電極板８に設けられた貫通孔１０を通過後、電極板８から吐出口１２２（又は後述するオゾン分解除去触媒フィルタ１３）までの間の活性種が存在し得る空間に所定時間の間、滞留できるように、マイクロプラズマ発生装置６の位置が決められる。図示する例では、ダクト径Ｄに対して同一径のダクトを、その流路長でダクト径Ｄの７倍程度（６．５〜７．５倍）とっている。ここで、電極板８に供給される気体の線速は約２．５ｍ／ｓとしている。なお、この値は、一般的な空気清浄機における線速と略一致する。このように、意図的にマイクロプラズマ発生装置６から吐出口１２２までの距離を長くとることで、空気が所定時間滞留するように空調装置１０２を構成している。ここで、マイクロプラズマ発生装置６の電極板８から吐出口１２２までの間の空間を『滞留空間１１７』と呼ぶ。
【００５５】
空調装置１０２に、滞留空間１１７が形成されることにより、マイクロプラズマ発生装置６で発生した活性種は、滞留空間１１７が存在しない場合に比べ比較的長時間、空気と混在する状態におかれる。後述の実験結果に示すように、滞留空間１１７における空気の滞留時間を稼ぐことは、活性種による空気の浄化性能を高めることに寄与する。例えば、マイクロプラズマ発生装置６に好適湿度範囲の空気を送ることが出来る場合、滞留時間が５分程度となるように滞留空間１１７を形成すると良い。この点、本実施形態においては、空調装置１０２はダクト１３０で構成されているため、ダクト１３０を長くし、建造物内において壁内や天井裏などを迂回させることで、居住空間に影響を与えることなく、容易に滞留時間を稼ぐことができる。
【００５６】
２−６．オゾン分解除去手段
マイクロプラズマ発生装置６において、一対の電極板８間に印加する放電電圧を上昇させると、一対の電極板８間に発生するマイクロプラズマにより環境上の観点から無視できない程度の濃度のオゾンが生成される。オゾンが室内１０１に放出されるのは好ましくないため、空調装置１０２は、マイクロプラズマ発生装置６より下流側にはオゾン分解除去触媒フィルタ１３を備えている。オゾン分解除去触媒フィルタ１３は、ダクト１３０において最下流側、すなわち吐出口１２２近傍において、吐出口１２２から吐出される空気が確実に通過するようにダクト１３０内における空気の流通方向を横断して設けられている。オゾン分解除去触媒フィルタ１３は、例えば、二酸化マンガン、酸化ニッケル、四三酸化鉄、酸化銅、炭酸コバルト、炭酸ニッケル、及び炭酸銅の何れか一種又は複数種の組み合わせからなるオゾン分解触媒と、ハニカム状に構成された触媒担持用の構造体とから構成される。なお、このようなオゾン分解触媒フィルタの構成は公知であるため、ここでは詳細な説明は省く。
【００５７】
３．空調装置による空気の浄化
最後に、空調装置１０２による空気の浄化について説明を行う。空調装置１０２は、室内１０１の空気を吸引し、室内１０１に戻すように構成されたダクト１３０内部に、上流側から順に、湿度センサ１２４、ミストノズル１１５、換気ファン１０３、温度センサ１２７、熱交換器１０７、マイクロプラズマ発生装置６、滞留空間１１７、及びオゾン分解除去触媒フィルタ１３が設けられている。
【００５８】
そして、換気ファン１０３の働きにより、室内１０１からダクト１３０内に空気が吸引され、湿度センサ１２４による湿度情報に基づいて、ミストノズル１１５により吸引された空気が加湿される。また、温度センサ１２７による温度情報に基づいて、必要であれば熱交換器１０７により空気を加熱する。このようにして、好適湿度範囲となった空気がマイクロプラズマ発生装置６に送られ、電極板８に設けられた貫通孔１０を通過する過程で、マイクロプラズマにより直接浄化されるとともに、マイクロプラズマ発生装置６により発生した活性種と混合され反応がおきる。活性種と混合された空気は、滞留空間１１７において滞留する間に好適に除菌される。最後に、オゾン分解除去触媒フィルタ１３を通過することで空気中に含まれるオゾンが取り除かれ、浄化された空気のみが室内１０１に戻される。以上のようにして、空調装置１０２によって、室内１０１の空気は浄化される。
【００５９】
〔参考形態〕
上記第一実施形態では本発明を全館空調システムに適用した場合の例を説明したのに対し、参考形態では、本発明を個別空調システムに適用した場合の例を説明する。この参考形態においては、個別空調システムの一例として浴室暖房乾燥機２を用いる。なお、第一実施形態との主な違いは、本発明における『加湿手段』及び『マイクロプラズマ発生手段』の構成及び配置のみであり、その他の構成については、上記第一実施形態と略同様である。よって、以下では、第一実施形態と略同様の構成については概略の説明にとどめ、差異点についてのみ詳細に説明する。
１．装置の概略構成
参考形態に係る浴室暖房乾燥機２は、浴室１の天井に設置され、浴室１内の空気を吸引口２１より吸引して加温し、吐出口２２より浴室１に戻す暖房乾燥機能に加え、浴室暖房乾燥機の下面にとりつけられたミストノズル１５により浴室１内にミストを散布するミストサウナ機能を備えたミストサウナ機能付き浴室暖房乾燥機に、マイクロプラズマ発生装置６を始めとする各種装置類を取り付け、本発明に係る空調装置としたものである。
【００６１】
図３に示すように、浴室暖房乾燥機２は、略直方体の筐体３１を備え、内部を仕切板３２により、２つの空間に分けられている。一方の空間には、電動ファン３とマイクロプラズマ発生装置６と熱交換器７とが備えられ、これらの機器は浴室１内の空気を除菌する働きを担っている。以下では、当該空間を『処理空間４』と呼ぶ。他方の空間には、排出用電動ファン１２が備えられ、浴室１内の空気を浴室１外に排出する働きを担っている。
【００６２】
浴室暖房乾燥機２は、電動ファン３の働きにより、浴室暖房乾燥機２の処理空間４に浴室１内の空気を吸引するための吸引口２１と、吸引した空気を浴室１内に吐出する吐出口２２を備えている。具体的には、吸引口２１及び吐出口２２は、浴室暖房乾燥機２下部で、浴室１内の空間に接する位置に形成されている。また、浴室暖房乾燥機２は内部に、吸引口２１より吸引した空気を加熱する熱交換器７と、マイクロプラズマ発生装置６とを備えるとともに、浴室１内の空間に接する位置に、浴室１内にミストを散布するミストノズル１５を備えている。加えて、吐出口２２には、オゾン分解除去触媒フィルタ１３が備えられている。
【００６４】
また、マイクロプラズマ発生装置６の上流側近傍で、熱交換器７より下流側には、湿度センサ２４（湿度取得手段）を備えられており、マイクロプラズマ発生装置６に送られる空気の湿度を取得可能に構成されている。熱交換器７と吸引口２１との間には、温度センサ２７が備えられており、マイクロプラズマ発生装置６に送られる空気の温度を取得可能に構成されている。湿度センサ２４と温度センサ２７とに加え、ミストノズル１５と熱交換器７とが、筐体３１外に設けられた制御手段１１６に電気的に接続されている。そして
、制御手段１１６は、湿度センサ２４及び温度センサ２７の出力情報に基づいて、ミストノズル１５及び熱交換器７を働かせ、ミストノズル１５で加湿された空気を好適湿度範囲に維持する。制御手段１１６による制御の詳細については、上記第一実施形態と同様であるので説明を省略する。
【００６５】
２．各機器類の説明
２−１．マイクロプラズマ発生装置、及び滞留空間
マイクロプラズマ発生装置６は、熱交換器７と吐出口２２との間に設けられている。参考形態においては、マイクロプラズマ発生装置６は、熱交換器７の下流側で電動ファン３よりも上流側の位置に設けられている。このような配置とすることで、マイクロプラズマ発生装置６と吐出口２２との間をできる限り広げることができ、マイクロプラズマ発生装置６で発生する活性種が処理空間４内に滞留するための滞留空間１７を最大限形成することが出来る。
【００６６】
２−２．ミストノズル
ミストノズル１５は、浴室暖房乾燥機２下部で、浴室１内の空間に接する位置に設けられている。よって、参考形態においては、浴室暖房乾燥機２下部には、吸引口２１と吐出口２２とミストノズル１５とがそれぞれ異なる位置に設けられている。このような構成とすることで、ミストノズル１５は、浴室１内にミストを散布して浴室１内の空気を加湿するだけでなく、マイクロプラズマ発生装置６に送られる空気の湿度をも同時に調整することが可能となっている。また、ミストノズル１５が筐体３１外に設けられることで、限られた筐体３１内の空間を滞留空間１７として有効利用可能となっている。
【００６７】
以上のような構成により、参考形態においても、第一実施形態と同様、空調対象空間の空気を浄化することが可能となっている。
【００６８】
〔実験結果〕
最後に、マイクロプラズマにより発生する活性種の除菌効果の湿度依存性及び、時間依存性についての実験内容及び実験結果について説明する。
【００６９】
（実験方法）
図４に実験装置の模式図を示す。１ｍ3のボックス８６内で超音波加湿器８４を用いて湿度を３５％ＲＨ、５０％ＲＨ、７０％ＲＨに調整した。各試験区において、ボックス８６内に設置したマイクロプラズマ発生装置６に１ｋＶの電圧を印加し、３０分間放電させた。放電により発生する活性種を軸流ファン８１により、風量０．５ｍ3／分でボックス８６内に放出させた。
【００７０】
放電終了後、ペトリ皿上のＰＤＡ寒天培地で培養したカビ胞子（カビ培養シャーレ８２）を、ペトリ皿に対して垂直上方に設置した軸流ファン８１からの気流によって飛散させた。このとき軸流ファン８１の気流を２分間当てた。カビ噴霧後、吸引ポンプに接続したインピンジャ８７（１０ｍｌ滅菌水入り）で、ボックス８６内の浮遊カビをサンプリングした。このとき、２Ｌ／分で３分間、計６Ｌ分を吸引した。このサンプリング開始時を０分後とし５、１０、１５、２０、３０分後に同様にサンプリングを行った。比較試験として、湿度３５％ＲＨにて放電を行わず同様の実験を実施した。
【００７１】
（実験結果）
図５に実験結果を示す。低湿度の３５％ＲＨの条件下で、マイクロプラズマ発生装置６を放電させた場合、放電しない場合と比較して、活性種による除菌効果がわずかに認められた。湿度を５０％ＲＨに上げた場合、明らかな除菌効果の改善が見られた。更に７０％ＲＨに上げると、約１５分で浮遊菌の死滅が認められた。また、以上の結果より湿度を上げた場合、時間経過とともに浮遊菌が減少することが認められた。
【００７２】
（総括）
以上の結果から、湿度を７０％ＲＨ〜８５％ＲＨ程度の高湿度環境下においては、マイクロプラズマ発生装置６により発生する活性種と浮遊菌とを長時間混在する状態におく方が、より高い除菌効果が得られることが分かった。
【００７３】
〔その他の実施形態〕
（１）上記の実施形態においては、空調装置が、温度調整手段を備える場合を例として説明した。しかし、本発明の実施形態はこれに限定されるものではない。したがって、例えば、第一実施形態における空調装置１０２が温度調整手段として熱交換器１０７を備えない構成とすることも発明の好適な実施形態の一つである。
【００７４】
上記の実施形態においては、空調装置内に、滞在空間が形成されている場合を例として説明した。その他の参考形態としては、例えば、第一実施形態においてマイクロプラズマ発生装置６がダクト１３０の吐出口１２２近くに設けられ、マイクロプラズマ発生装置６の下流に滞留空間１１７が存在しない構成とすることもできる。
【００７５】
上記の実施形態においては、空調装置が、オゾン分解除去手段を備える場合を例として説明した。その他の参考形態としては、例えば、第一実施形態において空調装置１０２が吐出口１２２近くにオゾン分解除去触媒フィルタ１３を備えない構成としても構わない。この場合、マイクロプラズマ発生装置６によって発生するオゾンの量を減らすために、電極板８に印加する電圧を下げたり、空調装置から空調対象空間に放出されるオゾンの量を減らすために、滞留空間１１７における空気の滞留時間をより長くするなどすると良い。
【００７６】
（２）上記の実施形態においては、空調装置が温度調整手段と加湿手段とを備え、加湿手段が加熱手段の上流側に設けられている場合を例として説明した。しかし、本発明の実施形態はこれに限定されるものではない。したがって、例えば、第一実施形態においてダクト１３０の吸引口１２１近くに熱交換器１０７が設けられ、熱交換器１０７とマイクロプラズマ発生装置６との間にミストノズル１１５が設けられる構成とすることも本発明の好適な実施形態の一つである。
【００７７】
（３）上記の実施形態においては、導電性の金属板の片面に誘電体膜を形成し、プラズマ発生に使用する電極とする例を示したが、例えば、酸化チタン等の誘電体粉末を成形・焼結して誘電体板状体を得、この誘電体板状体の片面全面に導電体からなる電極膜を形成し、プラズマ発生用の電極としても良い。
【産業上の利用可能性】
【００７８】
送風手段の働きにより、空調対象空間内の気体を処理空間に吸引して前記空調対象空間に戻す送風路を備えた空調装置として利用可能である。
【符号の説明】
【００７９】
１        ：浴室（空調対象空間）
２        ：浴室暖房乾燥機（空調装置）
３        ：電動ファン（送風手段）
４        ：処理空間
６        ：マイクロプラズマ発生装置（マイクロプラズマ発生手段）
７        ：熱交換器（加熱手段）
８        ：電極板
９        ：高周波電源
１０      ：貫通孔
１３      ：オゾン分解除去触媒フィルタ（オゾン分解除去手段）
１５      ：ミストノズル（加湿手段）
１７      ：滞留空間
２１      ：吸引口
２２      ：吐出口
１０１    ：室内（空調対象空間）
１０２    ：空調装置（空調装置）
１０３    ：換気ファン（送風手段）
１０４    ：処理空間
１０７    ：熱交換器（温度調整手段）
１１５    ：ミストノズル（加湿手段）
１１６    ：制御手段（湿度調整手段）
１１７    ：滞留空間
１３０    ：ダクト（送風路）
【図１】
0005714955.tif 000002
【図２】
0005714955.tif 000003
【図３】
0005714955.tif 000004
【図４】
0005714955.tif 000005
【図５】
0005714955.tif 000006